(57)【要約】【課題】紙片の厚みや枚数による磁力損失がなく、常に安定した保持力を得ることができるとともに、片手でも簡単に紙片を着脱することのできるマグネット式メモホルダーを提供する。【解決手段】本発明のマグネット式メモホルダー１は、磁石２１を内包した磁着部２を少なくとも２箇所以上備え、各磁着部２間にゴム弾性体からなる適宜長さのブリッジ部３が架橋されて、このブリッジ部３が被着面Ｓに対して弾性的に当接するように形成される。ブリッジ部３と被着面Ｓとの間に紙片Ｐを挿し込むと、ブリッジ部３の弾性変形による押圧力で紙片Ｐが保持される。【選択図】図１
2004255741.tif 000002
【特許請求の範囲】
【請求項１】
磁石を内包した磁着部を少なくとも２箇所以上備え、各磁着部間にゴム弾性体からなる適宜長さのブリッジ部が架橋されて、このブリッジ部が被着面に対して弾性的に当接するように形成されていることを特徴とするマグネット式メモホルダー。
【請求項２】
ブリッジ部の裏面に、被着面側に向かって凸となる押圧突起が形成されていることを特徴とする請求項１に記載のマグネット式メモホルダー。
【請求項３】
磁着部における磁石の裏面側が、ゴム弾性体の薄膜によって被覆されていることを特徴とする請求項１、２または３に記載のマグネット式メモホルダー。
【発明の詳細な説明】
【０００１】
【発明の属する技術分野】
本発明は、スチール家具や冷蔵庫にメモ用紙その他の紙片を仮止めするマグネット式メモホルダーに関する。
【０００２】
【従来の技術】
スチール家具の表面や冷蔵庫の扉、システムキッチンのホーロー化粧鋼板など、鋼板を基材とする平坦な壁面（以下、「被着面」というう。）に、メモ用紙その他の紙片を仮止めするための文具事務用品として、従来より、円形あるいは棒状のフェライト磁石に合成樹脂等からなるカバー材を被せ、磁石と被着面との間に紙片を挟み込むようにしたメモホルダーが広く利用されている。この種のマグネット式メモホルダーについては、例えば特許文献１、２等のような構成も提案されている。
【０００３】
また、例えば特許文献３、４等にあるように、磁石を組み込んだカバー材の表面に、紙片を挟持しうるクリップやフックを取り付けたものも知られている。
【０００４】
【特許文献１】
特開２００１−９６９６３号公報
【特許文献２】
特開２００１−１１３８７０号公報
【特許文献３】
特開平１１−３２１１７０号公報
【特許文献４】
特開２００１−３９０７０号公報
【０００５】
【発明が解決しようとする課題】
上記従来の技術のうち、磁石と被着面との間に紙片を挟み込むメモホルダーは、紙片が厚かったり、紙片の枚数が多いと、磁力損失が生じて保持力が低下し、紙片とともにずり落してしまう。
【０００６】
一方、紙片をクリップ等に挟み込んで保持するメモクリップは、紙片の着脱に際し、本体を被着面から取り外してクリップを開かなければならないので、両手が必要となり使い勝手に劣る。
【０００７】
本発明は上記のような事情に鑑みてなされたもので、紙片の厚みや枚数による磁力損失がなく、常に安定した保持力を得ることができるとともに、片手でも簡単に紙片を着脱することのできるマグネット式メモホルダーを提供することを解決課題としている。
【０００８】
【課題を解決するための手段】
上記課題を解決するため、本発明のマグネット式メモホルダーは、磁石を内包した磁着部を少なくとも２箇所以上備え、各磁着部間にゴム弾性体からなる適宜長さのブリッジ部が架橋されて、このブリッジ部が被着面に対して弾性的に当接するように形成されていることを特徴とする。
【０００９】
すなわち、この発明は、磁着部間に架橋されたブリッジ部と被着面との間に紙片を挟み込み、ブリッジ部の弾性変形による押圧力で紙片を保持するものである。被着面に沿って、ブリッジ部の裏側に紙片を挿し込むだけで紙片が保持されるので、片手で手軽に使用することができる。また、磁石を内包した磁着部は、紙片の厚みや枚数にかかわらず、被着面に対して直に磁着しているので、常に安定した磁力が得られる。
【００１０】
ブリッジ部の裏面には、被着面側に向かって凸となる押圧突起が形成されていることが好ましい。これにより、ブリッジ部には適度な張力が生じ、ブリッジ部と紙片との摩擦も大きくなって、紙片の保持力が向上する。
【００１１】
ブリッジ部を構成するゴム弾性体の種類は特に限定されないが、各種合成ゴム、天然ゴム、あるいはゴムに類した弾性を有する各種の熱可塑性エラストマーを利用することができる。
【００１２】
また、本発明のマグネット式メモホルダーにおいて、磁着部における磁石の裏面側は、ゴム弾性体の薄膜によって被覆されていることが好ましい。これによれば、磁石を露出させた状態で被着面に接触させるよりも、磁着部と被着面との摩擦を大きくすることができるととともに、磁石の接触によって被着面に傷がつくのを防ぐこともできる。
【００１３】
【発明の実施の形態】
以下、本発明の実施の形態について、図面を参照しつつ説明する。
【００１４】
図１〜図５は、本発明の実施の形態に係るマグネット式メモホルダーを示している。例示のマグネット式メモホルダー１は、磁石２１を内包した二個の磁着部２が両端に設けられ、両磁着部２の間にゴム弾性体からなるブリッジ部３が架橋されたものである。
【００１５】
磁着部２は、図４に示すように、円形の磁石２１をゴム弾性体からなる内包部２２と外包部２３で二重に包囲して、やや偏平な半球状に形成されている。例示の形態では、磁石２１に、小型でも強い磁力を有するネオジウム磁石を採用している。これによると、全体の形状を端正にして、意匠性を向上させることができる。ただし、本発明は、これに限らず、一般的なフェライト磁石を用いて実施することも可能である。
【００１６】
内包部２２は、磁石２１の表面、周面及び裏面を包囲しており、裏面側は厚さ０．２〜０．５ｍｍの薄膜２４となっている。この薄膜２４は、磁石２１が直接、被着面Ｓに接触するのを防いで被着面Ｓを傷つけないように保護するためと、被着面Ｓに対する摩擦力を高めるために設けられている。外包部２３は、内包部２２の表面及び周面を包囲している。
【００１７】
ブリッジ部３は、外包部２３と一体に連続するようにして、外包部２３と同じゴム弾性体で形成されている。例示のブリッジ部３は、図５に示すように、略半円形の断面を有し、両端から中央に向かって徐々に縮幅している。
【００１８】
ブリッジ部３の裏面には、リブ状の押圧突起３１が二本、平行して形成されている。この押圧突起３１の側面形状は、図３に示すように、端部から中央に向かって突出高が漸増するような緩い円弧状になっている。例示の形態では、磁着部２に近接した位置に、正面視三角形状の肉抜き部３２が形成されているが、これは成形材料を節約するためのもので、本発明においては特に必須ではない。
【００１９】
磁着部２の内包部２２を構成するゴム弾性体と、外包部２３やブリッジ部３を構成するゴム弾性体とは、硬度が若干相違しており、内包部２２にはＪＩＳ硬度が３０度〜６０度の材料が好適に使用され、外包部２３及びブリッジ部３には同じく３０〜５０度の材料が好適に使用される。なお、ここでのＪＩＳ硬度とは、日本工業規格・Ｋ・６２５３に定められたデュロメータ（タイプＡ／中硬さ用）でのゴム硬度測定試験によるものとする。これらの硬度は、マグネット式メモホルダー１全体の寸法やブリッジ部３の断面形状、要求される紙片保持力等の兼ね合いで設定されるが、例示のような形態でブリッジ部３の長さが１５ｃｍ程度の場合、内包部２２の硬度は５０度程度、ブリッジ部３の硬度は４０度程度が最も実用的である。ただし、用途や形状によっては、上記数値範囲外の硬度を有する材料を使用することもできる。また、ブリッジ部３をやや硬めの材料で形成し、押圧突起３１のみを柔らかめのゴム弾性体で形成してもよい。
【００２０】
このマグネット式メモホルダー１は、図１及び図３に示すように、両端の磁着部２を被着面Ｓに磁着して使用される。このとき、両端を軽く引っ張って、ブリッジ部３に適度な張力を与えておく。すると、ブリッジ部３の裏面に形成された押圧突起３１が被着面Ｓに対して弾性的に当接するので、メモ用紙その他の紙片Ｐを被着面Ｓに沿ってブリッジ部３との間に挿し込むと、押圧突起３１の反発弾性によって、紙片Ｐが被着面Ｓとの間に保持される。図１のように、このマグネット式メモホルダー１を被着面Ｓに略水平に取り付けた場合、紙片Ｐが小さければ、紙片Ｐの挿し込みは上方、下方のいずれからでも行うことができる。
【００２１】
このように、本発明のマグネット式メモホルダー１は、磁着部２間に引張されたブリッジ部３の弾性変形によって紙片Ｐを被着面Ｓに押圧するものであり、磁着部２は被着面Ｓに対して直接、磁着するので、磁石２１と被着面Ｓとの間に紙片Ｐを挟み込む従来のメモホルダーに比べて磁力損失が生じず、常に安定した保持力が得られる。もちろん、ブリッジ部３の長さに比べて紙片Ｐが大きい場合には、磁着部２で直接、紙片Ｐを押さえることも可能である。
【００２２】
また、本発明のマグネット式メモホルダー１は、磁着部２を被着面Ｓに磁着したまま、片手で紙片Ｐを着脱することができるので、両手を必要とする従来のメモクリップに比べて使い勝手もよい。
【００２３】
紙片Ｐを押圧する押圧突起３１については、その本数を増減することもできるほか、例示のようなリブ状のものに限らず、例えば、適宜感覚で配した複数個の半球状突起や、ヒゲ状の突起としてもよい。いずれの場合も、ブリッジ部３に適度な張力を付与しうるように、被着面Ｓ側に向かって凸となるように配置され、ブリッジ部３の端部から中央に向かって突出高が漸増するような形状が好ましい。
【００２４】
さらに、本発明のマグネット式メモホルダー１は、図６に示すように、磁着部２及びブリッジ部３の個数を増やして実施することもできる。図６（ａ）に示したマグネット式メモホルダー１は、三個の磁着部２を一列に並べて、二本のブリッジ部３を直線的に配したものである。また、図６（ｂ）に示したマグネット式メモホルダー１は、三個の磁着部２と二本のブリッジ部３をＬ字形に配したものである。また、図６（ｃ）に示したマグネット式メモホルダー１は、三個の磁着部２を正三角形状に配して、その内側に三叉状のブリッジ部３を形成したものである。また、図６（ｄ）に示したマグネット式メモホルダー１は、三個の磁着部２と三本のブリッジ部３を正三角形状に配したものである。これら以外にも、磁着部２とブリッジ部３の個数を増やして、用途に応じた様々な形態に展開することが可能である。
【００２５】
【発明の効果】
本発明のマグネット式メモホルダーは、磁石を内包した２箇所以上の磁着部間にゴム弾性体からなるブリッジ部が架橋されて、このブリッジ部と被着面との間に紙片を挟み込んで保持するように構成されているので、片手で簡単に紙片を着脱することができる。また、磁着部が常に被着面に磁着しているので、紙片の厚みや枚数が増しても磁力損失が生じず、安定した保持力が得られる。
【００２６】
さらに、本発明のマグネット式メモホルダーにおいて、ブリッジ部の裏面に押圧突起を形成することにより、紙片に対する押圧力と摩擦力が大きくなって、紙片の保持力が高まる。
【００２７】
また、本発明のマグネット式メモホルダーにおいて、磁着部における磁石の裏面側をゴム弾性体の薄膜で被覆することにより、磁着部と被着面との摩擦を大きくして、磁着部のずり落ちを防ぐことができるととともに、被着面に傷がつくのも防ぐことができる。
【図面の簡単な説明】
【図１】本発明の実施の形態にかかるマグネット式メモホルダーの正面図である。
【図２】同じく、背面図である。
【図３】同じく、側面図である。
【図４】図１、図２におけるＡ−Ａ’断面図である。
【図５】図１、図２におけるＢ−Ｂ’断面図である。
【図６】本発明の他の実施の形態にかかるマグネット式メモホルダーの正面図である。
【符号の説明】
１    マグネット式メモホルダー
２    磁着部
２１  磁石
２４  薄膜
３    ブリッジ部
３１  押圧突起
Ｐ    紙片
Ｓ    被着面
【図１】
2004255741.tif 000003
【図２】
2004255741.tif 000004
【図３】
2004255741.tif 000005
【図４】
2004255741.tif 000006
【図５】
2004255741.tif 000007
【図６】
2004255741.tif 000008